【手続補正書】
【提出日】平成21年10月20日(2009.10.20)
【手続補正１】
【補正対象書類名】特許請求の範囲
【補正対象項目名】請求項３
【補正方法】変更
【補正の内容】
【請求項３】
椅子構造体の背凭れ枠体に設けられた背凭れ部材に上下に移動可能なスライド機構を設けたことを特徴とする請求項１記載の自働腰臀揉み器である。
【手続補正２】
【補正対象書類名】明細書
【補正対象項目名】全文
【補正方法】変更
【補正の内容】
【発明の詳細な説明】
【発明の名称】自働腰臀揉み器
【技術分野】
【０００１】本発明は、被験者が何もせずに腰かけるだけで腰臀部を揉み解すことができ、日常生活の中で時間や場所を取らずに使える自働腰臀揉み器に関するものである。
【背景技術】
【０００２】腰痛は腰臀部の緊張が原因であるとする説があり、とくに座骨周辺、とくに臀部と大腿部の接続部分周辺の筋肉やツボに圧力を加えることが有効とされていて、手技療法や療治機器では腰臀部を揉み解す方法が多く用いられている。さらに、腰臀揉み器には揉み部が自動的に動いて被験者の筋肉やツボを揉み解す自動腰臀揉み器と被験者が自分の意思で自由に自分の力で被験者の座骨周辺、とくに臀部と大腿部の接続部分周辺の筋肉やツボを揉み解す自働腰臀揉み器がある。【０００３】自動腰臀揉み器は被験者が体を置くだけで何もしなくて自動で揉むことができる。さらに自動腰臀揉み器は揉み解すポイントや揉む、たたく、押すといった動作方法があらかじめプログラムされているので被験者に揉み解すポイントや方法の知識が無くても簡単に被験者の筋肉やツボを揉み解す事ができる。【０００４】被験者が自分の意思で自由に体を動かして被験者の座骨周辺、とくに臀部と大腿部の接続部分周辺の筋肉やツボを揉み解す自働腰臀揉み器はあらかじめ揉み解すポイントや時間がプログラム制御されている自動腰臀揉み器が揉み解すことのできないポイントや自分がやりたい場所を被験者の意思で自由に時間に制約されずに揉み解す事ができる。
【特許文献１】特開２００５−３２９１４５
【発明の開示】
【発明が解決しようとする課題】
【０００５】本発明は、従来の被験者が自分の意思で自由に体を動かして揉み解す自働腰臀揉み器は自分の意思で体を動かして使わねばならないので被験者には面倒なうえに長い時間使うと疲れてしまう。さらに筋肉や筋肉を揉み解すポイントの知識や使い慣れてコツを掴まなければ効果を得にくいという課題を解決するためになされたのである。【０００６】また本発明は、従来の被験者が自分の意思で自由に体を動かして揉み解す自働腰臀揉み器や自動で揉み部が動く自動腰臀揉み器は、使用するために特別に時間や置き場を設けなければならないので被験者は時間や置き場の管理の煩わしさが原因で永続きしないという課題を解決するためになされたのである。【０００７】また本発明は、従来の被験者が自分の意思で自由に体を動かして揉み解す自働腰臀揉み器は被験者が手で体を支えながら被験者揉み部材に体を押し当てて体を動かして、あるいは被験者が揉み部材を手で掴んで被験者の座骨周辺、とくに臀部と大腿部の接続部分周辺の筋肉やツボに押し当てて揉まねばならない。さらに掴む力の弱い人や腕の力が弱い人、体を動かす力の弱い人には使えないという課題を解決するためになされたのである。【０００８】また本発明は、自動腰臀揉み器は、揉み部が自動で動いて揉むだけでなく効果的に揉むための便利な多くの機能をもち、プログラムされた筋肉やツボを自動で揉み解す事ができるが難解で面倒な操作を理解しなければならないという課題を解決するためになされたのである。【０００９】また本発明は、簡単な構成で、基本構造全部あるいは一部を椅子やベンチ、あるいは自動車や産業用車両のシートなどに取り付けて使用可能な自働腰臀揉み器を提供することを課題としている。
【課題を解決するための手段】
【００１０】腰掛枠体に被験者の体を支持あるいは被験者の座骨周辺、とくに臀部と大腿部の接続部分周辺の筋肉やツボを押圧伸展し、揉み解し可能な被験者支持部材を付置したことを特徴とする自働腰臀揉み器である。【００１１】腰掛枠体に被験者の体を支持可能な背凭れ枠体を設けたことを特徴とする自働腰臀揉み器である。【００１２】腰掛枠体に被験者の体を支持あるいは被験者の座骨周辺、とくに臀部と大腿部の接続部分周辺の筋肉やツボを押圧伸展し、揉み解し可能な被験者支持部材を付置し被験者が着座し位置可能な腰臀部収容空間部を設けたことを特徴とする自働腰臀揉み器である。【００１３】被験者の体を支持あるいは被験者の座骨周辺、とくに臀部と大腿部の接続部分周辺の筋肉やツボを押圧伸展し、揉み解し可能な被験者支持部材を付置した腰掛枠体に背凭れ枠体を設け、被験者が着座し位置可能な腰臀部収容空間部を設けたことを特徴とする自働腰臀揉み器である。【００１４】被験者支持部材は材質、形状、構成など被験者の体躯や好みに合わせて自在にデザインし使用可能なことを特徴とする自働腰臀揉み器である。
【発明の効果】
【００１５】本発明は前記のとおり構成され、つぎに述べる効果を提供する。
被験者は、自働腰臀揉み器に着座し腰臀部収容空間部に位置すると被験者支持部材に受持される。被験者支持部材は負荷される被験者の体重を押圧する力に転換し、さらに被験者が姿勢を転換すると動きに応じて当接する被験者の座骨周辺、とくに臀部と大腿部の接続部分周辺の筋肉やツボを押圧伸展し揉み解すことができるので被験者は揉み解すことを目的に体を動作する必要は無い。但し、必要に応じて自分の意思で自由に体を動かして揉み解すこともできるという効果がある。【００１６】自働腰臀揉み器は日常生活で椅子などの腰掛道具として使いながら同時に使うことができるので使う時間を気にしたり、保管場所から持ち出したり、片付けたりする煩わしさから被験者は解放される。さらに日常生活で椅子などの腰掛道具として使うことが被験者の座骨周辺、とくに臀部と大腿部の接続部分周辺の筋肉やツボを押圧伸展し揉み解すことになるので、被験者は時間や揉まなければならないという意識のストレスから開放される。さらに日常生活で椅子などの腰掛道具として使うことで無意識の内に永続して自働腰臀揉み器を使う事ができると言う効果がある。【００１７】被験者が日常生活で椅子などの腰掛道具として使うことが自働腰臀揉み器を使う事になるので、被験者は筋肉や筋肉を揉み解すポイントの事など考えずに、腰かけて、例えば仕事をしながら、勉強しながら、休憩しながら自働腰臀揉み器を使う事ができ被験者が自分で体を動かす面倒や長い時間使うと疲れてしまう、さらに筋肉や筋肉を揉み解すポイントの知識や使い慣れてコツを掴まなければ効果を得にくいなどといった問題が解決されるという効果がある。【００１８】被験者が腰臀部収容空間部に位置した姿勢を保持または姿勢を転換する動作がそのまま被験者の座骨周辺、とくに臀部と大腿部の接続部分周辺の筋肉やツボを押圧伸展し揉み解す動作になるので、従来の自働腰臀揉み器のように手で体を支える必要が無く、掴む力の弱い人や他人の介護を必要とし椅子の生活を余儀なくされている人でも腰かけた時体を動かせる人であれば自分で被験者の座骨周辺、とくに臀部と大腿部の接続部分周辺の筋肉やツボを揉み解すことができるという効果がある。
【発明を実施するための最良の形態】
【００１９】以下本発明の実施形態について説明する。
［第１実施形態］
図１は本発明の第１実施形態を示す正面概略図である。
図２は本発明の第１実施形態を示す断面概略図である。
図３は本発明の第１実施形態を示す側面概略図である。
図４は本発明の第１実施形態の使用例を示す概略図である。
図５は本発明の第１実施形態の使用例を示す概略図である。
図６は被験者の背面図である。
図７は被験者の腰臀部及び大腿部の側面図である。
図８は被験者支持部材と腰臀部収容空間部の働きを示す概略図である。
図９は被験者支持部材と腰臀部収容空間部の働きを示す概略図である。
図１０は被験者支持部材と腰臀部収容空間部の働きを示す概略図である。
図１１は被験者支持部材と腰臀部収容空間部の働きを示す概略図である。
図１２は自働腰臀揉み器の所定の位置に位置した被験者の体の動きと被験者支持部材の働きを示す断面概略図である。
図１３は自働腰臀揉み器の所定の位置に位置した被験者の体の動きと被験者支持部材の働きを示す断面概略図である。
図１４は自働腰臀揉み器の所定の位置に位置した被験者の体の動きと被験者支持部材の働きを示す断面概略図である。
図１５は自働腰臀揉み器の所定の位置に位置した被験者の体の動きと被験者支持部材の働きを示す断面概略図である。
図１６は自働腰臀揉み器の所定の位置に位置した被験者の体の動きと被験者支持部材の働きを示す断面概略図である。【００２０】図１、図２、図３に示されるように第１実施形態に示す自働腰臀揉み器１は、例えば金属パイプなどから形成されて十分の強度を有する座枠構造体であって、被験者支持部材３と被験者支持部材４を設けた腰掛枠体（被験者支持部材）２で構成される。さらに腰掛枠体（被験者支持部材）２に設けられた被験者支持部材３と被験者支持部材４は、被験者Ａの体躯に合わせて前後に調整可能なスライド機構５、スライド機構６を備えることができる。【００２１】スライド機構５、スライド機構６は被験者支持部材３、被験者支持部材４を前後方向に移動可能とするもので公知の任意の構成を使用可能である。【００２２】図４に示されるように椅子７の上に付置した自働腰臀揉み器１に被験者Ａは位置し、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００２３】図５に示されるように座椅子１１の上に付置した自働腰臀揉み器１に被験者Ａは位置し、図６、図７に示される腰臀部から大腿部にかけた圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００２４】図１に示されるように、被験者支持部材３と被験者支持部材４は腰掛枠体２に梯子型に付置されている。図８、図９、図１０、図１１に示すように複数の腰臀部収容空間部を形成可能とし、図６に示す押揉圧範囲Ｂにある複数の筋群の位置する条件に応じて選択して使用し、最も効果的に揉み解すことを可能とするものでる。図８に示されるように被験者Ａが腰を下ろし、被験者支持部材１４に着座すると、体の重みで被験者Ａの体は矢印１７の方向にズリ動いて、図９に示されるように被験者支持部材１４と被験者支持部材１５の間に設けられた腰臀部収容空間部１６に位置される。腰臀部収容空間部１６に位置した被験者Ａの座骨周辺の筋群Ｅと、承扶周辺の筋群Ｆ、あるいは大腿部周辺の筋群Ｊは、被験者Ａの体重で被験者支持部材１４と被験者支持部材１５に押し付けられ押圧伸展されて、揉み解される。【００２５】図８に示されるように、被験者Ａが腰を下ろし、被験者支持部材１４に着座すると、体の重みで被験者Ａの体は矢印１７の方向にズリ動いて、図９に示されるように被験者支持部材１４と被験者支持部材１５の間に設けられた腰臀部収容空間部１６に位置される。座骨は２本の被験者支持部材に挟まれ、腰掛枠体の水平面に対してほぼ垂直に支持される。座骨周辺の筋群Ｅ、と承扶周辺の筋群Ｆの間に座骨で楔を打ち込むようにして骨盤と上半身の体重が負荷されて、特に、被験者支持部材１４で承扶周辺の筋群Ｆが被験者支持部材１５で尾骨周辺の筋群Ｃと座骨周辺の筋群Ｅとが、効果的に押圧伸展されて揉み解すことを可能としている。【００２６】図１に示されるように、被験者支持部材３と被験者支持部材４は、腰掛枠体２に梯子型に付置されている。図８、図９、図１０、図１１に示すように、複数の腰臀部収容空間部を形成可能とし、図６に示す押揉圧範囲Ｂにある複数の筋群の位置する条件に応じて選択して使用し、最も効果的に揉み解すことを可能とするものでる。図１０に示されるように被験者Ａが腰を下ろし被験者支持部材１５に着座すると体の重みで被験者Ａの体は矢印２０の方向にズリ動いて図１１に示されるように被験者支持部材１５と背凭れ部材１３の間に設けられた腰臀部収容空間部１９に腰臀部収容空間部１６に位置するよりも深く位置され、被験者Ａの体は矢印２１の方向に押し付けられるので被験者Ａの体の重みも矢印２１の方向に集中し腰臀部収容空間部１９に位置した被験者の大腿部周辺の筋肉群Ｊは腰臀部収容空間部１６に位置する場合より強く被験者支持部材４に押し付けられ押圧伸展されて、揉み解される。【００２７】図１２に示されるように腰臀部収容空間部１６に位置し、直立した被験者Ａは被験者支持部材１４と被験者支持部材１５に支持され尾骨周辺の筋群Ｃや座骨周辺の筋群Ｅと承扶周辺の筋群Ｆが押圧伸展される。さらに被験者Ａ体が横にひねりあるいは後ろにねじると動作した方向に体が傾き、仙骨周辺の筋群Ｄが押圧伸展されて、揉み解される。【００２８】図１３に示されるように腰臀部収容空間部１６に位置した被験者Ａが体を前に倒すと被験者支持部材１４に強く支持され承扶周辺の筋群Ｆと大腿部周辺の筋群Ｊが押圧伸展されて、揉み解される。【００２９】図１４に示されるように腰臀部収容空間部１６に位置した被験者Ａが体を後に倒し背凭れ部材１３に体を預けると被験者支持部材１４あるいは被験者支持部材１５に支持され尾骨周辺Ｃあるいは承扶周辺の筋群Ｆの筋群が押圧伸展されて揉み解される。さらに被験者Ａ体が横にひねりあるいは後ろにねじると動作した方向に体が傾き、仙骨周辺の筋群Ｄが押圧伸展されて、揉み解される。【００３０】図１５に示されるように腰臀部収容空間部１９に位置し、直立した被験者Ａは被験者支持部材１５と背凭れ部材１３に支持され図６、図７に示される腰臀部から大腿部にかけた押圧揉範囲Ｂ、とくに、尾骨周辺の筋群Ｃ、座骨周辺の筋群Ｅ、承扶周辺の筋群Ｆ、大腿筋群Ｊが押圧伸展されて揉み解される。さらに被験者Ａ体が横にひねりあるいは後ろにねじると動作した方向に体が傾き、仙骨周辺の筋群Ｄが押圧伸展されて、揉み解される。【００３１】図１６に示すように腰臀部収容空間部１９に位置した被験者Ａが体を前に倒すと被験者支持部材１５あるいは被験者支持部材１４に支持され承扶周辺の筋群Ｆと大腿部周辺の筋群Ｊが押圧伸展されて、揉み解される。【００３２】図１２、図１３、図１４、図１５、図１６に示されるように、椅子構造体に着座した被験者Ａは無意識あるいは自分の意思で姿勢を自由に転換することができ、押圧柔範囲Ｂの筋群は被験者支持部材２４、被験者支持部材２５に支持され、さらに体の動きに応じて被験者Ａ自身の体の重みで押圧伸展されて、揉み解される。【００３３】図１に示されるように、被験者支持部材３と被験者支持部材４は腰掛枠体２に梯子型に付置されている。図８、図９、図１０、図１１に示すように、複数の腰臀部収容空間部を形成可能とし、図６に示す押揉圧範囲Ｂにある複数の筋群の位置する条件に応じて選択して使用し、最も効果的に揉み解すことを可能とするものでる。図４に示されるように、被験者支持部材１０と背凭れ部材８の間に設けられた腰臀部収容空間部に被験者Ａが位置し、腰を下ろし、着座して背凭れに体を預けると、自働腰臀揉み器１は被験者Ａの体によって前の方向に押し出し圧力を受ける。図１に示されるように、被験者支持部材４は腰掛枠体２の左右の枠に対して梯子型になるように設けてあり、被験者Ａが腰を下ろし着座すると被験者支持部材４に被験者Ａの体重が負荷され、腰掛枠体２の左右の枠に後側に下方向の垂直抗力が生じ、前側に上方向に垂直抗力が生じ、これによって腰掛枠体２の左右の枠と椅子の座面の間に摩擦力が生まれる。これが自働腰臀揉み器１の滑り止めとなって、自働腰臀揉み器１は背凭れに体を委ねた被験者Ａの体で前の方向に押し出されても踏み止まって滑らず被験者Ａの体を受けとめ、図６、図７に示される承扶周辺の筋群Ｆは被験者支持部材４によって押圧伸展されて揉み解すことができる。【００３４】［第２実施形態］
図１７は本発明の第２実施形態を示す概略図である。
図１８は本発明の第２実施形態の使用例を示す概略図である。【００３５】図１７に示されるように第２実施形態に示す椅子構造体２２は例えば金属パイプなどから形成されて十分の強度を有する構造体であって被験者支持部材２４と被験者支持部材２５を設けた腰掛枠体（被験者支持部材）２３及び背凭れ部材２９を設けた背凭れ枠体２８で構成される。さらに腰掛枠体（被験者支持部材）２３に設けられた被験者支持部材２４と被験者支持部材２５は被験者Ａの体躯に合わせて前後に調整可能なスライド機構２６、スライド機構２７を備えることができる。さらに、背凭れ枠体２８に設けられた背凭れ部材２９は上下に調整可能なスライド機構３０を備えることができる。さらに、腰掛枠体（被験者支持部材）２３と背凭れ枠体２８はリクライニング機構３１で結合される。【００３６】スライド機構２６とスライド機構２７は被験者支持部材２４と被験者支持部材２５を前後方向に移動可能とするもので公知の任意の構成を使用可能である。【００３７】スライド機構３０は背凭れ部材２９を上下方向に移動し、固定可能なものであって公知の任意の構成を使用可能である。【００３８】リクライニング機構３１は腰掛枠体（被験者支持部材）２３と背凭れ枠体２８の間に設け、腰掛枠体（被験者支持部材）２３に対し任意の傾斜角に調整し、固定可能なものであって公知の任意の構成を使用可能である。【００３９】図１８に示されるように被験者Ａは椅子構造体２２を使い、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００４０】［第３実施形態］
図１９は本発明の第３実施形態を示す正面概略図である。
図２０は本発明の第３実施形態を示す断面概略図である。
図２１は本発明の第３実施形態を示す側面概略図である。
図２２は本発明の第３実施形態の使用例を示す概略図である。【００４１】図１９、図２０、図２１に示されるように第３実施形態に示す椅子構造体（座椅子）３２は例えば金属パイプなどから形成されて十分の強度を有する座椅子であって被験者支持部材３５と被験者支持部材３６を設けた腰掛枠体（被験者支持部材）３３及び背凭れ部材３７を設けた背凭れ枠体３４で構成される。【００４２】図２２に示されるように被験者Ａは椅子構造体（座椅子）３２を使い、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００４３】［第４実施形態］
図２３は本発明の第４実施形態を示す上面概略図である。
図２４は本発明の第４実施形態を示す断面概略図である。
図２５は本発明の第４実施形態を示す側面概略図である。
図２６は本発明の第４実施形態を示す座枠体概略図である。
図２７は本発明の第４実施形態の使用例を示す概略図である。
図２８は本発明の第４実施形態の使用例を示す概略図である。
図２９は本発明の第４実施形態の使用例を示す概略図である。【００４４】図２３、図２４、図２５、図２６に示されるように第４実施形態に示す座布団構造体３８は例えば金属パイプなどから形成されて十分の強度を有し、被験者支持部材４３と被験者支持部材４４を設けた座枠体４２があって、さらに緩衝材４１と表皮部材３９で包みファスナー部材４０で閉合された座布団構造体３８である。【００４５】図２７に示されるように座布団構造体３８に被験者Ａは位置し、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００４６】図２８に示されるように座椅子４５の上に付置した座布団構造体３８に被験者Ａは位置し、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００４７】図２９に示されるように椅子４６の上に付置した座布団構造体３８に被験者Ａは位置し、図６、図７に示される腰臀部から大腿部にかけた押圧揉範囲Ｂ、とくに、尾骨周辺の筋群Ｃ、仙骨周辺の筋群Ｄ、座骨周辺の筋群Ｅ、承扶周辺の筋群Ｆ、大腿筋群Ｊを自働で揉み解すことができる。【００４８】［第５実施形態］
図３０は本発明の第５実施形態を示す分解斜視図である。【００４９】図３０に示されるように椅子構造体４７は被験者支持部材５０、被験者支持部材５１を布置した腰掛枠体（被験者支持部材）４９が被験者Ａに対して前後の方向に移動するタイプのもので、被験者が体型に応じて任意に設定可能としている。【００５０】［第６実施形態］
図３１は本発明の第６実施形態を示す分解斜視図である。【００５１】図３１に示されるように椅子構造体５２は被験者支持部材５４、被験者支持部材５５を段違いの位置に設けたタイプのもので、図６、図７に示される、尾骨周辺の筋群Ｃや承扶周辺の筋群Ｆ、大腿周辺の筋群Ｊなど特定の筋群を強く押圧伸展し、揉み解すことを可能としている。【００５２】［第７実施形態］
図３２は本発明の第７実施形態を示す分解斜視図である。【００５３】図３２に示されるように椅子構造体５６は被験者支持部材５７を複数設けたタイプもので、体重を分散することで、図６、図７に示される、尾骨周辺の筋群Ｃや仙骨周辺の筋群Ｄ、座骨周辺の筋群Ｅ、承扶周辺の筋群Ｆ、大腿周辺の筋群Ｊを弱く押圧伸展し、揉み解すことを可能としている。腰臀部の筋肉が薄い、あるいは痛みに敏感な人に効果することを可能としている。【００５４】［第８実施形態］
図３３は本発明の第８実施形態を示す分解斜視図である。【００５５】図３３に示されるように椅子構造体６１は被験者支持部材６３を被験者Ａに対して前後の向き、左右の方向に複数設けたタイプのもので、被験者支持部材６３の両頭または片頭で強く押圧伸展し、揉み解すことを可能としている。【００５６】図３３に示されるように椅子構造体６１に設ける被験者支持部材６３は、かまぼこ型、ドーム型、球型など様々の形のものをデザインし使用することを可能としている。【００５７】図３３に示されるように椅子構造体６１に設ける被験者支持部材６３は、両頭または片頭を様々にデザインし、腰臀部の筋肉が厚い太った人などに効果することを可能としている。【００５８】［第９実施形態］
図３４は本発明の第９実施形態を示す分解斜視図である。【００５９】図３４に示されるように椅子構造体６６に設けた被験者支持部材６７は直方体であり端末に面取り加工を施したものである。腰臀部の筋肉が薄い、あるいは痛みに敏感な人の押圧伸展に効果することを可能としている。【００６０】図３４のスライド機構６９は被験者支持部材６８を前後方向に移動し、固定可能なものであって、位置固定用のスライド穴７１に固定用部材７２を取付けて被験者支持部材６８を任意の位置に固定し使用するものである。他に公知の任意の構成を使用可能である。【００６１】図３４のスライド機構７４は背凭れ部材７３を上下方向に移動し、固定可能なものであって、位置固定用のスライド穴７５に固定用部材７２を取付けて背凭れ部材７３を任意の位置に固定し使用するものである。他に公知の任意の構成を使用可能である。【００６２】［第１０実施形態］
図３５は本発明の第１０実施形態を示す分解斜視図である。【００６３】図３５に示されるように組立式座枠構造体７６は側枠部材７７に挿入しスライド可能なスライド機構７９を設けた少なくとも２本以上の被験者支持部材７８で構成される。被験者支持部材７８は側枠部材７７に挿入し取り付け任意の位置に固定される。【００６４】組立式座枠構造体７６は被験者支持部材７８を側枠部材７７から着脱可能とすることで分解して何処へでも自由に持ち運びができて、例えば移動中にバスや車の中でも組み立てて、使って揉み解すことを可能としている。【００６５】［第１１実施形態］
図３６は本発明の第１１実施形態を示す分解斜視図である。【００６６】図３６に示されるように携帯組立型構造体８０は被験者支持部材８２と側枠部材８３、さらに折り曲げてあるいは巻取り可能なシート状部材で作られ、被験者支持部材８２と側枠部材８３を取付け可能な部材収納ポケットを設けた座布シート８１で構成される。これは、折り曲げあるいは巻取りを可能とし、さらに被験者支持部材８２と側枠部材８３を着脱可能とすることで何処へでも自由に持ち運びができて、例えば移動中にバスや車の中でも組み立てて、使って揉み解すことを可能としている。【００６７】［第１２実施形態］
図３７は本発明の第１２実施形態を示す分解斜視図である。【００６８】図３７に示されるように電動乗馬構造体８６は、電動力で動き被験者を前後左右に揺り動かすものである。電動乗馬構造体８６には被験者支持部材８８が設けられた腰掛枠体８７が固定あるいは脱着可能に装置される。被験者は電動乗馬構造体８６に着座し把持部８９を把持し、動きに合わせてバランスを取り、体を揺り動かしながら自働で揉み解すことを可能としている。
【図面の簡単な説明】
【００６９】
【図１】は本発明の第１実施形態を示す正面概略図である。
【図２】は本発明の第１実施形態を示す断面概略図である。
【図３】は本発明の第１実施形態を示す側面概略図である。
【図４】は本発明の第１実施形態の使用例を示す概略図である。
【図５】は本発明の第１実施形態の使用例を示す概略図である。
【図６】は被験者の背面図である。
【図７】は被験者の腰臀部及び大腿部の側面図である。
【図８】は被験者支持部材と腰臀部収容空間部の働きを示す概略図である。
【図９】は被験者支持部材と腰臀部収容空間部の働きを示す概略図である。
【図１０】は被験者支持部材と腰臀部収容空間部の働きを示す概略図である。
【図１１】は被験者支持部材と腰臀部収容空間部の働きを示す概略図である。
【図１２】は自働腰臀揉み器の所定の位置に位置した被験者の体の動きと被験者支持部材の働きを示す断面概略図である。
【図１３】は自働腰臀揉み器の所定の位置に位置した被験者の体の動きと被験者支持部材の働きを示す断面概略図である。
【図１４】は自働腰臀揉み器の所定の位置に位置した被験者の体の動きと被験者支持部材の働きを示す断面概略図である。
【図１５】は自働腰臀揉み器の所定の位置に位置した被験者の体の動きと被験者支持部材の働きを示す断面概略図である。
【図１６】は自働腰臀揉み器の所定の位置に位置した被験者の体の動きと被験者支持部材の働きを示す断面概略図である。
【図１７】は本発明の第２実施形態を示す概略図である。
【図１８】は本発明の第２実施形態の使用例を示す概略図である。
【図１９】は本発明の第３実施形態を示す正面概略図である。
【図２０】は本発明の第３実施形態を示す断面概略図である。
【図２１】は本発明の第３実施形態を示す側面概略図である。
【図２２】は本発明の第３実施形態の使用例を示す概略図である。
【図２３】は本発明の第４実施形態を示す上面概略図である。
【図２４】は本発明の第４実施形態を示す断面概略図である。
【図２５】は本発明の第４実施形態を示す側面概略図である。
【図２６】は本発明の第４実施形態を示す座枠体概略図である。
【図２７】は本発明の第４実施形態の使用例を示す概略図である。
【図２８】は本発明の第４実施形態の使用例を示す概略図である。
【図２９】は本発明の第４実施形態の使用例を示す概略図である。
【図３０】は本発明の第５実施形態を示す分解斜視図である。
【図３１】は本発明の第６実施形態を示す分解斜視図である。
【図３２】は本発明の第７実施形態を示す分解斜視図である。
【図３３】は本発明の第８実施形態を示す分解斜視図である。
【図３４】は本発明の第９実施形態を示す分解斜視図である。
【図３５】は本発明の第１０実施形態を示す分解斜視図である。
【図３６】は本発明の第１１実施形態を示す分解斜視図である。
【図３７】は本発明の第１２実施形態を示す分解斜視図である。
【符号の説明】
【００７０】１    自働腰臀揉み器
２    腰掛枠体（被験者支持部材）
３    被験者支持部材
４    被験者支持部材
５    スライド機構
６    スライド機構
７    椅子
８    背凭れ部材
９    被験者支持部材
１０  被験者支持部材
１１  座椅子
１２  背凭れ部材
１３  背凭れ部材
１４  被験者支持部材
１５  被験者支持部材
１６  腰臀部収容空間部
１９  腰臀部収容空間部
２２  椅子構造体
２３  腰掛枠体（被験者支持部材）
２４  被験者支持部材
２５  被験者支持部材
２６  スライド機構
２７  スライド機構
２８  背凭れ枠体
２９  背凭れ部材
３０  スライド機構
３１  リクライニング機構
３２  椅子構造体（座椅子）
３３  腰掛枠体（被験者支持部材）
３４  背凭れ枠体
３５  被験者支持部材
３６  被験者支持部材
３７  背凭れ部材
３８  座布団構造体
３９  表皮部材
４０  ファスナー部材
４１  緩衝材
４２  座枠体
４３  被験者支持部材
４４  被験者支持部材
４５  座椅子
４６  椅子
４７  椅子構造体
４８  スライド機構
４９  腰掛枠体（被験者支持部材）
５０  被験者支持部材
５１  被験者支持部材
５２  椅子構造体
５３  腰掛枠体
５４  被験者支持部材
５５  被験者支持枠体
５６  椅子構造体
５７  被験者支持部材
５８  被験者支持枠体
５９  被験者支持部材
６０  スライド機構
６１  椅子構造体
６２  被験者支持枠体
６３  被験者支持部材
６４  被験者支持部材
６５  スライド機構
６６  椅子構造体
６７  被験者支持部材
６８  被験者支持部材
６９  スライド機構
７０  腰掛枠体
７１  スライド穴
７２  固定用部材
７３  背凭れ部材
７４  スライド機構
７５  スライド穴
７６  組立式座枠構造体
７７  側枠部材
７８  被験者支持部材
７９  スライド機構
８０  携帯組立型構造体
８１  座布シート
８２  被験者支持部材
８３  側枠部材
８４  部材収納ポケット
８５  部材収納ポケット
８６  電動乗馬構造体
８７  腰掛枠体
８８  被験者支持部材
８９  把持部
【手続補正３】
【補正対象書類名】図面
【補正対象項目名】図１
【補正方法】変更
【補正の内容】
【図１】
2008104823.tif 000001
【手続補正４】
【補正対象書類名】図面
【補正対象項目名】図１７
【補正方法】変更
【補正の内容】
【図１７】
2008104823.tif 000002
【手続補正５】
【補正対象書類名】図面
【補正対象項目名】図１９
【補正方法】変更
【補正の内容】
【図１９】
2008104823.tif 000003
【手続補正６】
【補正対象書類名】図面
【補正対象項目名】図３０
【補正方法】変更
【補正の内容】
【図３０】
2008104823.tif 000004